(57)【特許請求の範囲】
【請求項１】
内部を流れる水又は湯の一部を湯水混合弁に分配供給するための開口が周側壁に形成され、残余部を他の湯水混合弁に供給する配管であって、前記開口よりも上流から前記開口に至る分配流路を前記配管内に画成する隔壁が前記配管内に配設され、前記他の湯水混合弁に水又は湯の残余部を供給するための開口が前記開口よりも下流側の周側壁に形成されていることを特徴とする湯水混合弁に水又は湯を供給する配管。
【請求項２】
前記隔壁は前記配管と一体形成されていることを特徴とする請求項１に記載の湯水混合弁に水又は湯を供給する配管。
【請求項３】
前記隔壁は前記配管とは別体で形成され、前記配管に挿入固定されていることを特徴とする請求項１に記載の湯水混合弁に水又は湯を供給する配管。
【発明の詳細な説明】
【技術分野】
【０００１】
本発明は、湯水混合弁に水又は湯を供給する配管に関するものである。
【背景技術】
【０００２】
内部を流れる水又は湯の一部を湯水混合弁に分配供給するための開口が周側壁に形成された、湯水混合弁に水又は湯を供給する配管が、広く使用されている。
【発明の開示】
【発明が解決しようとする課題】
【０００３】
長手方向に互いに間隔を隔てて複数の同一面積の開口が周側壁に形成され一端が閉鎖された配管に通水すると、開口から吐出する水の流量は、下流の開口から上流の開口へ向け順次減少することが知られている。従って、下流の開口に接続された水栓を閉じ、上流の開口に接続された湯水混合弁を介して混合水を吐出している最中に、下流の開口に接続された水栓の使用を開始すると、上流の開口に接続した湯水混合弁に供給される水又は湯の流量が大幅に減少して、湯水混合弁を介して吐出する混合水の温度が急変する場合を生ずる。
本発明は上記問題に鑑みてなされたものであり、内部を流れる水又は湯の一部を湯水混合弁に分配供給するための開口が周側壁に形成された、湯水混合弁に水又は湯を供給する配管であって、内部を流れる水流に関して下流の開口に接続された水栓を閉じ、上流の開口に接続された湯水混合弁を介して混合水を吐出している最中に、下流の開口に接続された水栓の使用を開始しても、上流の開口に接続した湯水混合弁に供給される水又は湯の流量が大幅に減少せず、当該湯水混合弁を介して吐出する混合水の温度が急変しない配管を提供することを目的とする。
【課題を解決するための手段】
【０００４】
上記課題を解決するために、本発明においては、内部を流れる水又は湯の一部を湯水混合弁に分配供給するための開口が周側壁に形成され、残余部を他の湯水混合弁に供給する配管であって、前記開口よりも上流から前記開口に至る分配流路を前記配管内に画成する隔壁が前記配管内に配設され、前記他の湯水混合弁に水又は湯の残余部を供給するための開口が前記開口よりも下流側の周側壁に形成されていることを特徴とする湯水混合弁に水又は湯を供給する配管を提供する。
長手方向に互いに間隔を隔てて複数の同一面積の開口が周側壁に形成され一端が閉鎖された配管内に隔壁を配設して、最上流の開口よりも更に上流から各開口に至る分配流路を配管内に形成することにより、前記配管に通水した時の開口間の吐出流量の差を低減できることが知られている。
本発明に係る配管においては、配管内に配設された隔壁により、湯水混合弁に接続される開口よりも上流から当該開口に至る分配流路が前記配管内に画成されているので、当該湯水混合弁を介して混合水を吐出している最中に、下流側の開口に接続された水栓の使用が開始されても、前記使用中の湯水混合弁に供給される水又は湯の流量は大幅に減少せず、当該湯水混合弁を介して吐出する混合水の温度は急変しない。
【０００５】
本発明の好ましい態様においては、前記隔壁は前記配管と一体形成されている。
本発明の好ましい態様においては、前記隔壁は前記配管とは別体で形成され、前記配管に挿入固定されている。
配管内に分配流路を画成する隔壁は、配管と一体形成しても良く、或いは前記配管とは別体で形成し、前記配管に挿入固定しても良い。
【発明の効果】
【０００６】
本発明に係る配管においては、配管内に配設された隔壁により、湯水混合弁に接続される開口よりも上流から当該開口に至る分配流路が前記配管内に画成されているので、当該湯水混合弁の使用中に、下流側の開口に接続された水栓や湯水混合弁の使用が開始されても、前記使用中の湯水混合弁に供給される水又は湯の流量は大幅に減少せず、当該湯水混合弁から吐出する湯水混合液の温度は急変しない。
【発明を実施するための最良の形態】
【０００７】
本発明の実施例に係る湯水混合弁に水又は湯を供給する配管を説明する。
【実施例１】
【０００８】
図１に示すように、給水配管Ａ、給湯配管Ｂに、湯水混合弁Ｃ、Ｄが並列に接続されている。給水配管Ａ内の水流に関して、湯水混合弁Ｃは湯水混合弁Ｄよりも下流に配設され、給湯配管Ｂ内の湯流に関して、湯水混合弁Ｃは湯水混合弁Ｄよりも上流に配設されている。
湯水混合弁Ｃは、互いに正対する湯入口１ａと水入口１ｂとが周壁に形成された円筒状の外筒１を備えている。湯入口１ａ、水入口１ｂから円筒状接続部１ｃ、１ｄが径方向外方へ延びている。円筒状接続部１ｃ、１ｄの端部に、逆止弁２ａ、２ｂが嵌入固定されている。円筒状接続部１ｃ、１ｄの端部は、Ｕピン３ａ、３ｂを用いたＵピン接続により、給湯配管Ｂ、給水配管Ａに接続している。円筒状接続部１ｃ、１ｄと給湯配管Ｂ、給水配管Ａとの接続部は、Ｏリング４ａ、４ｂによってシールされている。
【０００９】
一端が閉鎖された有底円筒状の内筒５が、摺動回転可能に外筒１に収容されている。内筒５の周壁に、湯入口１ａ、水入口１ｂと連通可能な貫通穴５ａ、５ｂが形成されている。内筒５の内部は、長手方向に延在する隔壁５ｃにより、貫通穴孔５ａに連通する湯路５ｄと、貫通穴５ｂに連通する水路５ｅとに分割されている。内筒５の開放端は、混合水出口を形成している。隔壁５ｃは混合水出口近傍まで延在している。混合水出口は、図示しない下流側配管を介して図示しないシャワー吐水栓に接続されている。
内筒５の閉鎖端から伸びる図示しないロッドが、外筒１の一方の端部を摺動回転可能に貫通して、外筒１の外方へ延びている。ロッドの外筒貫通部は、Ｏリングによってシールされている。ロッドの外筒外へ延びた端部は、図示しないステッピングモータの出力軸にセレーション結合している。
湯水混合弁Ｄは、湯水混合弁Ｃと同一構造を有している。湯水混合弁Ｄの混合出口は、図示しない下流側配管を介して図示しない浴槽注水栓に接続されている。
【００１０】
給水配管Ａの周壁に、内部を流れる水の一部を湯水混合弁Ｄに分配供給するための開口１０と、残余の水を湯水混合弁Ｃに供給するための開口１１とが、形成されている。開口１０は給水配管Ａ内の水流に関して開口１１よりも上流に配設されている。給水配管Ａ内の水流に関して開口１０よりも上流から開口１０に至る分配流路１２を給水配管Ａ内に画成する隔壁１３が、給水配管Ａ内に配設されている。隔壁１３は給水配管Ａと一体形成されている。
給湯配管Ｂの周壁に、内部を流れる湯の一部を湯水混合弁Ｃに分配供給するための開口２０と、残余の湯を湯水混合弁Ｄに供給するための開口２１とが、形成されている。開口２０は給湯配管Ｂ内の水流に関して開口２１よりも上流に配設されている。給湯配管Ｂ内の水流に関して開口２０よりも上流から開口２０に至る分配流路２２を給湯配管Ｂ内に画成する隔壁２３が、給湯配管Ｂ内に配設されている。隔壁２３は給湯配管Ｂと一体形成されている。
【００１１】
湯水混合弁Ｃにおいては、給湯配管Ｂから開口２０と逆止弁２ａと湯入口１ａと貫通穴５ａとを介して内筒５の湯路５ｄ内へ流入した湯と、給水配管Ａから開口１１と逆止弁２ｂと水入口１ｂと貫通穴５ｂとを介して内筒５の水路５ｅ内へ流入した水とが、内筒５の開放端が形成する混合水出口近傍で混合される。混合水は、混合水出口と下流側配管とを通って、シャワー吐水栓から吐出する。内筒５の回転角度がステッピングモータによって制御されることにより、湯と水の混合比が制御され、混合水の温度が制御される。
湯水混合弁Ｄにおいても、給湯配管Ｂから開口２１と逆止弁と湯入口とを通って内筒内へ流入した湯と、給水配管Ａから開口１０と逆止弁と水入口とを通って内筒内へ流入した水とが内筒内で混合される。混合水は、混合水出口と下流側配管とを通って、浴槽注水栓から吐出する。内筒の回転角度がステッピングモータによって制御されることにより、湯と水の混合比が制御され、混合水の温度が制御される。
【００１２】
給湯配管Ｂにおいては、配管Ｂ内に配設された隔壁２３により、湯水混合弁Ｃに接続される開口２０よりも上流から当該開口２０に至る分配流路２２が配管Ｂ内に画成されているので、湯水混合弁Ｃを介して混合水を吐出している最中に、下流側の開口２１に接続された浴槽注水栓の使用が開始されても、使用中の湯水混合弁Ｃに供給される湯の流量は大幅に減少しない。一方、給湯配管Ａにおいては、配管Ａ内に配設された隔壁１３により、湯水混合弁Ｄに接続される開口１０よりも上流から当該開口１０に至る分配流路１２が配管Ａ内に画成されているので、湯水混合弁Ｃから混合水を吐出している最中に上流側の開口１０に接続された浴槽注水栓の使用が開始されても、使用中の湯水混合弁Ｃに供給される水の流量は大幅に増加しない。従って、湯水混合弁Ｃから吐出する混合水の温度は急変しない。
【００１３】
上記実施例では、給水配管Ａ、給湯配管Ｂに、隔壁１３、２３を形成して、分配流路１２、２２を形成したが、給水配管Ａのみに隔壁１３を配設し、或いは給湯配管Ｂのみに隔壁２３を配設しても良い。湯水混合弁Ｃから吐出する混合水の温度の急変をある程度防止することができる。
【００１４】
上記実施例では、隔壁１３、２３を給水配管Ａ、給湯配管Ｂと一体形成したが、図２に示すように、給水配管Ａ、給湯配管Ｂの開口１０、２０に連通する分配流路１２’、２２’を画成する隔壁１３’、２３’を内部に備える筒部材３０、４０を給水配管Ａ、給湯配管Ｂ内に挿入固定しても良い。
【００１５】
給水配管Ａ、給湯配管Ｂに対する湯水混合弁Ｃ、Ｄの接続の態様は、上記実施例に限定されない。図３（ａ）〜（ｃ）に示す態様でも良い。水流、湯流に関して上流側に配設された湯水混合弁と給水配管Ａ、給湯配管Ｂとの接続部に、隔壁１３、２３と同様の隔壁を配設して、分配流路１２、２２と同様の分配流路を形成すれば良い。
【００１６】
図４に示すように、給水配管Ａ、給湯配管Ｂに、湯水混合弁Ｃ、Ｄ、Ｅが並列に接続されている場合には、給水配管Ａ、給湯配管Ｂの周側壁に形成された、湯水混合弁Ｃ、Ｄ、Ｅに接続される開口中、最も上流側の開口よりも更に上流から前記最も上流の開口と当該開口に隣接する下流側の開口とに至る２本の分配流路を、給水配管Ａ、給湯配管Ｂ内に画成する２枚の隔壁Ａ’、Ａ”、Ｂ’、Ｂ”を、給水配管Ａ、給湯配管Ｂ内に配設すれば良い。
【産業上の利用可能性】
【００１７】
本発明は、湯水混合弁に水又は湯を供給する配管に広く利用可能である。
【図面の簡単な説明】
【００１８】
【図１】本発明の実施例に係る湯水混合弁に水又は湯を供給する配管と湯水混合弁の断面図である。
【図２】本発明の他の実施例に係る湯水混合弁に水又は湯を供給する配管と湯水混合弁の断面図である。
【図３】本発明の他の実施例に係る湯水混合弁に水又は湯を供給する配管と湯水混合弁の配置図である。
【図４】本発明の他の実施例に係る湯水混合弁に水又は湯を供給する配管と湯水混合弁の一部を断面図で示した配置図である。
【符号の説明】
【００１９】
Ａ  給水配管
Ｂ  給湯配管
Ｃ、Ｄ、Ｅ  湯水混合弁
１  外筒
１ａ  湯入口
１ｂ  水入口
５  内筒
５ａ、５ｂ  貫通穴
１０、１１、２０、２１  開口
１２、２２  分配流路
１３、２３  隔壁
【図１】
0004737749.tif 000002
【図２】
0004737749.tif 000003
【図３】
0004737749.tif 000004
【図４】
0004737749.tif 000005